【手続補正書】
【提出日】平成27年4月17日(2015.4.17)
【手続補正１】
【補正対象書類名】特許請求の範囲
【補正対象項目名】全文
【補正方法】変更
【補正の内容】
【特許請求の範囲】
【請求項１】
ポータブルコンピューティングデバイス(「PCD」)内のバッテリ負荷を管理するための方法であって、
前記PCD内のバッテリにおける能動負荷を追跡するステップであり、前記能動負荷が前記PCD内の1または複数の能動電力消費コンポーネントに関連している、ステップと、
前記バッテリの健康状態を監視するステップであり、前記健康状態が、前記バッテリに関連付けられた1または複数の測定値によって定量化される、ステップと、
前記1または複数の能動電力消費コンポーネントを識別するデータと、前記バッテリに関連付けられた前記1または複数の測定値によって定量化された前記健康状態と、所定のバッテリ負荷状態と、特定の使用事例にマッピングされた履歴電力消費レベルとをバッテリ負荷データベースに格納するステップと、
前記バッテリにおける追加の負荷についての要求を認識するステップであり、追加の負荷についての前記要求が、前記PCD内の非能動コンポーネントのアクティブ化を必要とする前記PCDの機能についての要求に関連付けられている、ステップと、
前記バッテリ負荷データベースに問合せることによって、追加の負荷についての前記要求を受け入れることから生じる前記バッテリにおける将来の能動負荷を計算するステップと、
前記将来の能動負荷が、前記バッテリ負荷データベースに格納された前記バッテリの前記健康状態に対しておよび前記将来の能動負荷と比較した前記バッテリ負荷データベースに格納された前記所定のバッテリ負荷状態に対して及ぼす影響の分析に基づいて、前記バッテリにおける追加の負荷についての前記要求に応答するステップと
を含み、
追加の負荷についての前記要求に応答する前記ステップが、熱アグレッサとして識別された前記PCD内の前記能動電力消費コンポーネントのうちの1または複数への電力を低減するステップをさらに含み、
前記PCDが複数のコアを含み、追加の負荷についての前記要求に応答する前記ステップが、前記複数のコアの少なくともいくつかのうちの少なくとも1つの処理負荷を再割振りするステップをさらに含む方法。
【請求項２】
追加の負荷についての前記要求に応答するステップが、追加の負荷についての前記要求を許可するステップを含む、請求項1に記載の方法。
【請求項３】
追加の負荷についての前記要求に応答するステップが、前記PCD内の前記能動電力消費コンポーネントのうちの1または複数への電力を低減するステップをさらに含む、請求項2に記載の方法。
【請求項４】
追加の負荷についての前記要求に応答するステップが、前記PCD内の前記能動電力消費コンポーネントのうちの1または複数への電力をサスペンドするステップをさらに含む、請求項2に記載の方法。
【請求項５】
追加の負荷についての前記要求に応答するステップが、追加の負荷についての前記要求を拒絶するステップを含む、請求項1に記載の方法。
【請求項６】
前記バッテリに関連付けられるとともに、前記健康状態を定量化するために使用される測定値が、電圧の状態の測定値を含む、請求項1に記載の方法。
【請求項７】
前記バッテリに関連付けられるとともに、前記健康状態を定量化するために使用される測定値が、充電の状態の測定値を含む、請求項1に記載の方法。
【請求項８】
前記バッテリに関連付けられるとともに、前記健康状態を定量化するために使用される測定値が、放電率の測定値を含む、請求項1に記載の方法。
【請求項９】
ポータブルコンピューティングデバイス(「PCD」)内のバッテリ負荷を管理するためのコンピュータシステムであって、
前記PCD内のバッテリにおける能動負荷を追跡するステップであり、前記能動負荷が前記PCD内の1または複数の能動電力消費コンポーネントに関連している、ステップと、
前記バッテリの健康状態を監視するステップであり、前記健康状態が、前記バッテリに関連付けられた1または複数の測定値によって定量化される、ステップと
を行うためのモニタモジュールと、
前記1または複数の能動電力消費コンポーネントを識別するデータと、前記バッテリに関連付けられた前記1または複数の測定値によって定量化された前記健康状態と、所定のバッテリ負荷状態と、特定の使用事例にマッピングされた履歴電力消費レベルとを格納するためのバッテリ負荷データベースと、
前記バッテリにおける追加の負荷についての要求を認識するステップであり、追加の負荷についての前記要求が、前記PCD内の非能動コンポーネントのアクティブ化を必要とする前記PCDの機能についての要求に関連付けられている、ステップと、
前記バッテリ負荷データベースに問合せることによって、追加の負荷についての前記要求を受け入れることから生じる前記バッテリにおける将来の能動負荷を計算するステップと、
前記将来の能動負荷が、前記バッテリ負荷データベースに格納された前記バッテリの前記健康状態に対しておよび前記将来の能動負荷と比較した前記バッテリ負荷データベースに格納された前記所定のバッテリ負荷状態に対して及ぼす影響の分析に基づいて、前記バッテリにおける追加の負荷についての前記要求に応答するステップと
を行うためのバッテリ負荷管理モジュールと
を含み、
追加の負荷についての前記要求に応答する前記ステップが、熱アグレッサとして識別された前記PCD内の前記能動電力消費コンポーネントのうちの1または複数への電力を低減するステップをさらに含み、
前記PCDが複数のコアを含み、追加の負荷についての前記要求に応答する前記ステップが、前記複数のコアの少なくともいくつかのうちの少なくとも1つの処理負荷を再割振りするステップをさらに含むコンピュータシステム。
【請求項１０】
追加の負荷についての前記要求に応答する前記バッテリ負荷管理モジュールが、追加の負荷についての前記要求を許可することを含む、請求項9に記載のコンピュータシステム。
【請求項１１】
追加の負荷についての前記要求に応答する前記バッテリ負荷管理モジュールが、前記PCD内の前記能動電力消費コンポーネントのうちの1または複数への電力を低減することをさらに含む、請求項10に記載のコンピュータシステム。
【請求項１２】
追加の負荷についての前記要求に応答する前記バッテリ負荷管理モジュールが、前記PCD内の前記能動電力消費コンポーネントのうちの1または複数への電力をサスペンドすることをさらに含む、請求項10に記載のコンピュータシステム。
【請求項１３】
追加の負荷についての前記要求に応答する前記バッテリ負荷管理モジュールが、追加の負荷についての前記要求を拒絶することを含む、請求項9に記載のコンピュータシステム。
【請求項１４】
前記バッテリの前記健康状態を監視する前記モニタモジュールが、電圧の状態の測定値を監視することを含む、請求項9に記載のコンピュータシステム。
【請求項１５】
前記バッテリの前記健康状態を監視する前記モニタモジュールが、充電の状態の測定値を監視することを含む、請求項9に記載のコンピュータシステム。
【請求項１６】
前記バッテリの前記健康状態を監視する前記モニタモジュールが、放電率の測定値を監視することを含む、請求項9に記載のコンピュータシステム。
【請求項１７】
ポータブルコンピューティングデバイス(「PCD」)内のバッテリ負荷を管理するためのコンピュータシステムであって、
前記PCD内のバッテリにおける能動負荷を追跡するための手段であり、前記能動負荷が前記PCD内の1または複数の能動電力消費コンポーネントに関連している、手段と、
前記バッテリの健康状態を監視するための手段であり、前記健康状態が、前記バッテリに関連付けられた1または複数の測定値によって定量化される、手段と、
前記1または複数の能動電力消費コンポーネントを識別するデータと、前記バッテリに関連付けられた前記1または複数の測定値によって定量化された前記健康状態と、所定のバッテリ負荷状態と、特定の使用事例にマッピングされた履歴電力消費レベルとをバッテリ負荷データベースに格納するための手段と、
前記バッテリにおける追加の負荷についての要求を認識するための手段であり、追加の負荷についての前記要求が、前記PCD内の非能動コンポーネントのアクティブ化を必要とする前記PCDの機能についての要求に関連付けられている、手段と、
前記バッテリ負荷データベースに問合せることによって、追加の負荷についての前記要求を受け入れることから生じる前記バッテリにおける将来の能動負荷を計算するための手段と、
前記将来の能動負荷が、前記バッテリ負荷データベースに格納された前記バッテリの前記健康状態に対しておよび前記将来の能動負荷と比較した前記バッテリ負荷データベースに格納された所定のバッテリ負荷状態に対して及ぼす影響の分析に基づいて、前記バッテリにおける追加の負荷についての前記要求に応答するための手段と
を含み、
追加の負荷についての前記要求に応答するための前記手段が、熱アグレッサとして識別された前記PCD内の前記能動電力消費コンポーネントのうちの1または複数への電力を低減するための手段を含み、
前記PCDが複数のコアを含み、追加の負荷についての前記要求に応答するための前記手段が、前記複数のコアの少なくともいくつかのうちの少なくとも1つの処理負荷を再割振りすることをさらに含むコンピュータシステム。
【請求項１８】
追加の負荷についての前記要求に応答するための前記手段が、追加の負荷についての前記要求を許可するための手段を含む、請求項17に記載のコンピュータシステム。
【請求項１９】
追加の負荷についての前記要求に応答するための前記手段が、前記PCD内の前記能動電力消費コンポーネントのうちの1または複数への電力を低減するための手段をさらに含む、請求項18に記載のコンピュータシステム。
【請求項２０】
追加の負荷についての前記要求に応答するための前記手段が、前記PCD内の前記能動電力消費コンポーネントのうちの1または複数への電力をサスペンドするための手段をさらに含む、請求項18に記載のコンピュータシステム。
【請求項２１】
追加の負荷についての前記要求に応答するための前記手段が、追加の負荷についての前記要求を拒絶するための手段を含む、請求項17に記載のコンピュータシステム。
【請求項２２】
前記バッテリの前記健康状態を監視するための前記手段が、電圧の状態を監視するための手段を含む、請求項17に記載のコンピュータシステム。
【請求項２３】
前記バッテリの前記健康状態を監視するための前記手段が、充電の状態を監視するための手段を含む、請求項17に記載のコンピュータシステム。
【請求項２４】
前記バッテリの前記健康状態を監視するための前記手段が、放電率を監視するための手段を含む、請求項17に記載のコンピュータシステム。
【請求項２５】
コンピュータ可読プログラムコードを具備するコンピュータプログラムであって、前記コンピュータ可読プログラムコードが、ポータブルコンピューティングデバイス(「PCD」)におけるバッテリ負荷を管理するための方法を実施するために実行されるように適合され、前記方法が、
前記PCD内のバッテリにおける能動負荷を追跡するステップであり、前記能動負荷が前記PCD内の1または複数の能動電力消費コンポーネントに関連している、ステップと、
前記バッテリの健康状態を監視するステップであり、前記健康状態が、前記バッテリに関連付けられた1または複数の測定値によって定量化される、ステップと、
前記1または複数の能動電力消費コンポーネントを識別するデータと、前記バッテリに関連付けられた前記1または複数の測定値によって定量化された前記健康状態と、所定のバッテリ負荷状態と、特定の使用事例にマッピングされた履歴電力消費レベルとをバッテリ負荷データベースに格納するステップと、
前記バッテリにおける追加の負荷についての要求を認識するステップであり、追加の負荷についての前記要求が、前記PCD内の非能動コンポーネントのアクティブ化を必要とする前記PCDの機能についての要求に関連付けられている、ステップと、
前記バッテリ負荷データベースに問合せることによって、追加の負荷についての前記要求を受け入れることから生じる前記バッテリにおける将来の能動負荷を計算するステップと、
前記将来の能動負荷が前記バッテリの前記健康状態に対しておよび前記将来の能動負荷と比較して前記バッテリ負荷データベースに格納された所定のバッテリ負荷状態に対して及ぼす影響の分析に基づいて、前記バッテリにおける追加の負荷についての前記要求に応答するステップと
を含み、
追加の負荷についての前記要求に応答するステップが、熱アグレッサとして識別された前記PCD内の前記能動電力消費コンポーネントのうちの1または複数への電力を低減するステップをさらに含み、
前記PCDが複数のコアを含み、追加の負荷についての前記要求に応答するステップが、前記複数のコアの少なくともいくつかのうちの少なくとも1つの処理負荷を再割振りするステップをさらに含む、コンピュータプログラム。
【請求項２６】
追加の負荷についての前記要求に応答するステップが、追加の負荷についての前記要求を許可するステップを含む、請求項25に記載のコンピュータプログラム。
【請求項２７】
追加の負荷についての前記要求に応答するステップが、前記PCD内の前記能動電力消費コンポーネントのうちの1または複数への電力を低減するステップをさらに含む、請求項26に記載のコンピュータプログラム。
【請求項２８】
追加の負荷についての前記要求に応答するステップが、前記PCD内の前記能動電力消費コンポーネントのうちの1または複数への電力をサスペンドするステップをさらに含む、請求項26に記載のコンピュータプログラム。
【請求項２９】
追加の負荷についての前記要求に応答するステップが、追加の負荷についての前記要求を拒絶するステップを含む、請求項25に記載のコンピュータプログラム。
【請求項３０】
前記バッテリに関連付けられるとともに、前記健康状態を定量化するために使用される測定値が、電圧の状態の測定値を含む、請求項25に記載のコンピュータプログラム。
【請求項３１】
前記バッテリに関連付けられるとともに、前記健康状態を定量化するために使用される測定値が、充電の状態の測定値を含む、請求項25に記載のコンピュータプログラム。
【請求項３２】
前記バッテリに関連付けられるとともに、前記健康状態を定量化するために使用される測定値が、放電率の測定値を含む、請求項25に記載のコンピュータプログラム。